(57)【要約】【課題】ブラインドシャッタ装置において、充分な防犯性能を確保すること。【解決手段】ブラインドシャッタ装置１５は、複数のスラット２３が開閉可能に連結されてなるスラット開閉式のシャッタカーテン２２を備えている。各スラット２３が開状態とされたことでスラット間に形成される隙間を不審者が悪用すると、スラット２３に負荷がかかるが、それによってスラット２３にかかる力が圧力検知センサ４１によって検知される。すると、シャッタ制御部１５はスラット駆動部３７を制御して各スラット２３を閉動作させる。これにより、窓部１３を完全に閉鎖され、悪用のおそれのある隙間は形成されない。【選択図】図１
2010209614.tif 000002
【特許請求の範囲】
【請求項１】
建物の外壁部に設けられた開口部の屋外側に設置され、複数のスラットが開閉可能に連結されてなるスラット開閉式のシャッタカーテンと、
前記シャッタカーテンのスラットにかかる負荷を検知する負荷検知手段と、
前記負荷検知手段によって負荷が検知された場合に、防犯処理を実行する防犯処理手段と、
を備えたことを特徴とするブラインドシャッタ装置。
【請求項２】
前記負荷検知手段は、スラットごとにかかる負荷を検知する圧力検知手段であり、前記防犯処理手段は、いずれかのスラットで前記圧力検知手段により所定の圧力が検知された場合に防犯処理を実行することを特徴とする請求項１に記載のブラインドシャッタ装置。
【請求項３】
前記防犯処理手段は、前記圧力検知手段により、異なるスラットで同時又は所定時間内に所定の圧力を検知した場合に、前記防犯処理を実行することを特徴とする請求項２に記載のブラインドシャッタ装置。
【請求項４】
前記異なるスラットの間には、複数枚のスラットが介在していることを特徴とする請求項３に記載のブラインドシャッタ装置。
【請求項５】
前記防犯処理手段によって実行される防犯処理は、開状態にある前記各スラットを閉じる動作であることを特徴とする請求項１乃至４のいずれか１項に記載のブラインドシャッタ装置。
【請求項６】
前記防犯処理は、前記各スラットの閉動作を所定の傾斜角度で停止させることを特徴とする請求項５に記載のブラインドシャッタ装置。
【請求項７】
前記負荷検知手段が、スラットごとにかかる負荷を検知する圧力検知手段である場合において、
前記防犯処理は、前記各スラットを閉状態まで閉じる動作であり、
前記防犯処理手段は、前記圧力検知手段によって隣接するスラットで所定の圧力が検知された場合に、前記各スラットを所定の傾斜角度まで開動作させることを特徴とする請求項５に記載のブラインドシャッタ装置。
【請求項８】
警戒モードと非警戒モードという少なくとも二つのモードを設定する設定手段を備え、
前記防犯処理手段は、前記警戒モードに設定されていることを条件に、前記防犯処理を実行することを特徴とする請求項１乃至７のいずれか１項に記載のブラインドシャッタ装置。
【請求項９】
屋内外を連通する開口部が設けられた外壁部を備え、前記開口部の屋外側に請求項１乃至８のいずれか１項に記載のブラインドシャッタ装置が設けられていることを特徴とする建物。
【請求項１０】
屋内外を連通する開口部が設けられた外壁部を備え、前記開口部の屋外側に同開口部を開閉するシャッタカーテンを備えたシャッタ装置が設けられた建物において、
前記シャッタ装置の少なくとも一つは請求項１乃至８のいずれか１項に記載のブラインドシャッタ装置であって、当該ブラインドシャッタ装置には前記負荷検知手段によって前記スラットにかかる負荷が検知された場合にその検知情報を送信する送信手段を備えており、
前記送信手段からの検知情報を受けた場合に、他のシャッタ装置に対してその有するシャッタカーテンの閉動作及び各スラットの閉動作を指令する指令手段が設けられたことを特徴とする建物。
【発明の詳細な説明】
【技術分野】
【０００１】
本発明は、スラットが開閉されるブラインドシャッタ装置、及びそれを備えた建物に関する。
【背景技術】
【０００２】
住宅等の建物において、従来から、主に防犯用としてシャッタ装置が窓等の開口部の屋外側に設けられている。
【０００３】
一般的にシャッタ装置は、互いに離間対向して配置されたガイドレールとそのガイドレール間に設けられたシャッタカーテンとを備えている。シャッタカーテンは、ガイドレール間全域に亘る長尺状のスラットが一連状に連接されることにより構成され、そのシャッタカーテンがガイドレールに案内されて昇降するようになっている。このため、シャッタカーテンを開けておくことにより通風や採光することができ、シャッタカーテンを閉めておくことにより就寝時や留守中の防犯に活用することができる。
【０００４】
そして、近年では、シャッタカーテンを閉じた状態で各スラットを開閉させる機能を備えたブラインドシャッタ装置も提案されている（例えば、特許文献１参照）。かかるシャッタ装置によれば、シャッタカーテンを閉じて防犯性を確保しながら、スラットを開けることで通風や採光性も得られるというメリットがある。
【先行技術文献】
【特許文献】
【０００５】
【特許文献１】特開２００５−１３９６５４号公報
【発明の概要】
【発明が解決しようとする課題】
【０００６】
ところで、スラット開閉機能を備えた上記ブラインドシャッタ装置では、各スラットが開状態とされると、上下に隣接するスラット間に隙間が形成される。この隙間によって通風や採光性が得られるのであるが、その隙間が不審者によって悪用されてしまうという懸念もある。それというのも、その隙間を利用すればスラットに手や足をかけることが可能となるため、それが建物の二階部分などによじ登るための手掛かりや足場となるおそれがあるからである。
【０００７】
このため、スラット開閉式のシャッタカーテンを備えたブラインドシャッタ装置では、スラット開閉機能によって通風や採光性が確保できるとしても、それがかえって防犯性を低下させてしまうという点で問題がある。
【０００８】
そこで、本発明は、充分な防犯性能を確保できるブラインドシャッタ装置、及びそれを備えた建物を提供することを主たる目的とする。
【課題を解決するための手段】
【０００９】
本発明は、上記課題を解決するために、以下の手段を採用した。
【００１０】
すなわち、本発明では、建物の外壁部に設けられた開口部の屋外側に設置され、複数のスラットが開閉可能に連結されてなるスラット開閉式のシャッタカーテンと、前記シャッタカーテンのスラットにかかる負荷を検知する負荷検知手段と、前記負荷検知手段によって負荷が検知された場合に、防犯処理を実行する防犯処理手段と、を備えたことを特徴とする。
【００１１】
かかる構成によれば、不審者が建物の二階部分などに登るため、スラット間の隙間を利用してスラットに手や足をかけた場合、その手掛かりや足場となったスラットにかかる負荷が負荷検知手段によって検知される。防犯処理手段は、この負荷検知の場合に防犯処理を実行する。この防犯処理によって不審者はよじ登りを断念せざるを得なくなるため、スラット開閉式のシャッタカーテンを備えた場合でも、充分な防犯性能を確保できる。
【００１２】
前記負荷検知手段は、スラットごとにかかる負荷を検知する圧力検知手段であり、前記防犯処理手段は、いずれかのスラットで前記圧力検知手段により所定の圧力が検知された場合に防犯処理を実行することが好ましい。
【００１３】
かかる構成によれば、スラットごとで負荷が検知されるため、隙間が悪用されたことによってスラットにかかる負荷を、その検知箇所や負荷がかかる方向等でより細かな検知が可能となる。これにより、防犯処理によって対処可能な場面が増えるため、防犯性能がより高められる。また、検知された圧力が所定の圧力である場合に防犯処理が実行されるため、スラットがよじ登りの手掛かりや足場とされていないような場面で、誤った防犯処理が実行されるのを防止できる。
【００１４】
なお、圧力検知手段としては、スラットの両端部に設けられた回転軸部の軸受けにおいて、少なくともその回転軸部の下方に設けられた圧力検知センサであることが好ましい。よじ登るために不審者がスラットに手や足をかける場合、通常は下方向への力（負荷）がスラットにかかるからである。
【００１５】
前記防犯処理手段は、前記圧力検知手段により、異なるスラットで同時又は所定時間内に所定の圧力を検知した場合に、前記防犯処理を実行することが好ましい。
【００１６】
不審者がスラットに手や足をかけたり、隙間をこじ開けようとしたりする場合など、防犯処理が必要とされる場面では、異なるスラットで同時又は所定時間内に所定の圧力が検知されることが多い。そのため、かかる構成とすれば、その多くの場面で防犯処理を実行できるため、防犯性能の向上を実効的なものとすることができる。
【００１７】
前記異なるスラットの間には、複数枚のスラットが介在していることが好ましい。
【００１８】
それというのも、特に、建物の二階部分などへよじ登るため、不審者がスラットに手や足をかける場合には、手掛かりとなるスラットと足場となるスラットとは離れており、両スラット間に複数枚のスラットが介在している。このため、本構成とすれば、防犯処理によって不審者によじ登りを断念させるという点で充分な防犯性能が発揮される。
【００１９】
前記防犯処理手段によって実行される防犯処理の態様としては、開状態にある前記各スラットを閉じる動作であることが好ましい。
【００２０】
本発明で着目した防犯性低下の原因は、スラットが開状態とされて形成された隙間が不審者に悪用されることにある。この点、本構成の防犯処理では、スラットの閉動作により隙間が形成されなくなるため、不審者はその隙間を悪用することもできなくなる。つまり、そもそもの原因を取り除くことができる。
【００２１】
その具体的な態様の一つとして、前記各スラットの閉動作を所定の傾斜角度で停止させるようにすることが好ましい。
【００２２】
かかる構成によれば、所定の傾斜角度として、人の指が抜ける程度の隙間が形成される角度が設定されれば、スラットの閉動作によって建物関係者（住人など）の指が誤って挟まれてしまうことを防止し、スラットの閉動作に対する安全性を確保できる。
【００２３】
また、前記負荷検知手段が、スラットごとにかかる負荷を検知する圧力検知手段である場合であれば、前記防犯処理の他の態様として、前記各スラットを閉状態まで閉じる動作であり、前記防犯処理手段は、前記圧力検知手段によって隣接するスラットで所定の圧力が検知された場合に、前記各スラットを所定の傾斜角度まで開動作させるようにしてもよい。
【００２４】
かかる構成によれば、スラットの閉動作によって人の指が誤ってスラット間に挟まれると、その挟まりによってスラットにかかる負荷が圧力検知手段によって検知される。すると、各スラットを所定の傾斜角度まで開動作させる制御が実行される。このため、所定の傾斜角度として、指が抜ける程度の隙間がスラット間に形成される傾斜角度が設定されれば、いったんスラット間に挟まれてしまった指を抜くことができるため、スラットの閉動作に対する安全性を確保できる。
【００２５】
なお、前記所定の傾斜角度、指が抜ける程度の隙間がスラット間に形成される傾斜角度とは、上側スラットの下端部と下側スラットの上端部とが正面視において重なり合う傾斜角度であることが好ましい。
【００２６】
また、警戒モードと非警戒モードという少なくとも二つのモードを設定する設定手段を備え、前記防犯処理手段は、前記警戒モードに設定されていることを条件に、前記防犯処理を実行するようにしてもよい。
【００２７】
かかる構成によれば、警戒モードに設定されている場合に限って防犯処理がなされるため、スラットに対して負荷をかけることが想定される場合に、予め非警戒モードに設定しておけば誤って防犯処理が行われることを事前に防止できる。これにより、建物関係者の防犯ニーズに応じた制御が行われるため、利便性が高まる。
【００２８】
次に、上記特徴を有する各ブラインドシャッタ装置のうち、いずれか一のブラインドシャッタ装置は、屋内外を連通する開口部が設けられた外壁部を備えた建物において、前記開口部の屋外側に設置されるのが好適である。
【００２９】
また、屋内外を連通する開口部が設けられた外壁部を備え、前記開口部の屋外側に同開口部を開閉するシャッタカーテンを備えたシャッタ装置が設けられた建物において、前記シャッタ装置の少なくとも一つは上記特徴を有する各ブラインドシャッタ装置のいずれかであって、当該ブラインドシャッタ装置には前記負荷検知手段によって前記スラットにかかる負荷が検知された場合にその検知情報を送信する送信手段を備えており、前記送信手段からの検知情報を受けた場合に、他のシャッタ装置に対してその有するシャッタカーテンの閉動作及び各スラットの閉動作を指令する指令手段が設けられた構成としてもよい。
【００３０】
かかる構成によれば、あるブラインドシャッタ装置でスラットにかかる負荷が検知されると、当該ブラインドシャッタ装置で防犯処理が実行されるとともに、その検知情報が指令手段に送信される。そして、この検知情報を受けた指令手段は、他のシャッタ装置に対してその有するシャッタカーテンの閉動作及び各スラットの閉動作を指令する。このため、他のシャッタ装置でもシャッタカーテンの閉動作等が行われて、開口部が閉鎖される。これにより、スラットへの負荷が検知されたブラインドシャッタ装置だけでなく、他のシャッタ装置でも防犯性が高められることになり、建物全体での防犯性能を向上させることができる。
【図面の簡単な説明】
【００３１】
【図１】電気的構成の一部を含むシャッタ装置の正面図。
【図２】（ａ）は図１におけるＡ部の概略拡大図、（ｂ）はスラットの軸支部分の概略図。
【図３】シャッタ装置が設けられた建物の概略構成を示す図。
【図４】スラット防犯制御処理を示すフローチャート。
【図５】シャッタ装置の動作説明図。
【図６】別例として、スラットの傾斜角度を説明する概略図。
【図７】別例のスラット防犯制御処理を示すフローチャート。
【図８】別例のシャッタ装置を示す概略図。
【図９】別例のシャッタ装置を示す正面図。
【発明を実施するための形態】
【００３２】
以下に、本発明を具体化する一実施の形態について図面を参照しつつ説明する。本実施の形態では、住宅等の建物に設けられた窓部等の開口部において、その屋外側に設置される電動式のブラインドシャッタ装置（以下、シャッタ装置と省略する）に具体化されている。
【００３３】
はじめに、窓部の屋外側にシャッタ装置が設けられた建物の概略、及びそのシャッタ装置の動作の概略を、図３を参照しながら簡単に説明する。なお、図３は、シャッタ装置が設けられた建物の概略構成を示す図である。
【００３４】
図３に示されているように、建物１１の外壁部１２には窓部１３（開口部に相当）が複数設けられている。この窓部１３には、引き違い式の窓サッシ１４（後述する図１参照）が配置されており、窓サッシ１４にはガラス板が設けられている。これら各窓部１３の屋外側には、シャッタ装置１５がそれぞれ設けられている。この実施形態では、各シャッタ装置１５は窓部１３それぞれの大きさに合わせて寸法等が異なる場合があるものの、同一構成のものが採用されている。具体的には、シャッタ装置１５は、窓部１３の上方に取り付けられた横長箱状のシャッタボックス２１、このシャッタボックス２１内に巻回された状態で収納されるスラット開閉式のシャッタカーテン２２などで構成されている。シャッタカーテン２２がシャッタボックス２１から引き出される（降下する）ことにより窓部１３が閉鎖され、シャッタカーテン２２がシャッタボックス２１内に巻き取られる（上昇する）ことにより窓部１３が開放されるようになっている。また、窓部１３の全域が閉鎖されるまでシャッタカーテン２２が引き出された状態で、各スラット２３の開閉動作が行われる。そして、各スラット２３が開状態とされると（図３の右側のシャッタ装置１５を参照）、シャッタカーテン２２には隙間２４が形成される。この隙間２４を通じて、屋内への通風性（窓サッシ１４を開放させた場合）や採光性が確保される。
【００３５】
シャッタ装置１５には、シャッタ制御部２５が接続されている。このシャッタ制御部２５は、現実には前記シャッタボックス２１内に設けられている。シャッタ制御部２５により、シャッタ装置１５の動作（シャッタカーテン２２の昇降動作やスラット２３の開閉動作）が制御される。そして、このシャッタ制御部２５は、建物１１内に設置されたホームサーバ１６に接続されている。このため、各シャッタ装置１５のシャッタ制御に関する情報等がホームサーバ１６に提供されるとともに、ホームサーバ１６の指令を受けた場合にもシャッタ制御部２５がシャッタ装置１５の動作制御を実行するようになっている。
【００３６】
次に、建物１１の各窓部１３に設置された前記シャッタ装置１５について、図１及び図２を参照しながらもう少し詳しく説明する。なお、図１はシャッタ装置の正面図であり、電気的構成の一部も併せて図示されている。また、図２（ａ）は図１におけるＡ部の概略拡大図であり、同（ｂ）はスラットの軸支部分の概略図である。
【００３７】
まず、図１に示されているように、スラット開閉式の前記シャッタカーテン２２は、多数のスラット２３が上下に連結されて構成されている。各スラット２３は、それぞれ横長板状に形成されており、上下に並ぶように配置されている。それらスラット２３は、上下に隣接するスラットとそれぞれの一部が互いに係合されており、一体的に上昇したり下降したりする構成となっている。なお、スラット２３同士の結合連結の構成については周知であるため、ここでは図示による説明を省略する。
【００３８】
多数のスラット２３のうち最上部となるスラットは、前記シャッタボックス２１内に設置された巻取りドラム３１と連結されており、巻取りドラム３１が回転することでシャッタカーテン２２の巻き取りや引き出しが行われる。巻取りドラム３１は、同じくシャッタボックス２１に収容されたドラム駆動部３２と連結されている。ドラム駆動部３２は電動モータ等を含んで構成されており、このドラム駆動部３２の駆動によって巻取りドラム３１が正逆いずれかの方向に回転すると、シャッタカーテン２２が巻き取り又は引き出される。
【００３９】
その巻き取り又は引き出しが行われる場合には、シャッタカーテン２２の左右両端部に設けられたガイドレール２６によってその巻き取り又は引き出し動作が案内される。ガイドレール２６は、窓部１３の左右両側に取り付けられている。
【００４０】
また、図２（ａ）に示されているように、各スラット２３を開閉させる構成として、開閉ガイド機構３３が前記ガイドレール２６に設けられている。開閉ガイド機構３３は、軸支部３５を有している。この軸支部３５により、スラット２３ごとにその両端から側方に向けて水平方向に延びる回転軸部３４が軸支されている。これら各軸支部３５は、上下に隣接するものがリンク部３６によって相互に係合された状態で連結されている。そして、この開閉ガイド機構３３は、シャッタボックス２１に収容されたスラット駆動部３７と連結されている（図１参照）。スラット駆動部３７は電動モータ等を含んで構成されており、このスラット駆動部３７の駆動によって開閉ガイド機構３３の各軸支部３５及びリンク部３６が係合動作すると、シャッタカーテン２２の各スラット２３が開閉される。
【００４１】
それら各スラット２３の開閉は、水平方向に延びる前記回転軸部３４を中心として回転する構成となっている。つまり、回転軸部３４を中心に回転することで開状態及び閉状態に移行する。閉状態ではスラット２３の短辺が鉛直方向に起立した状態となっており、開状態では閉状態に対してスラット２３が傾いた状態となっている（図３参照）。そのため、スラット２３が開状態にある場合には、上下に隣接するスラット間に横長形状の前記隙間２４が形成される。この隙間２４はスラット２３の長手方向に沿って延びており、シャッタカーテン２２により窓部１３が閉鎖されている状態でも、その隙間２４を通じて自然換気や採光を行える。
【００４２】
図１に戻り、シャッタカーテン２２を昇降動作させる場合の駆動源である前記ドラム駆動部３２、及びスラット２３を開閉動作させる場合の駆動源である前記スラット駆動部３７は、前記シャッタ制御部２５に接続されている。このため、シャッタ制御部２５の指令によってドラム駆動部３２及びスラット駆動部３７の駆動、つまりシャッタカーテン２２の昇降動作やスラット２３の開閉動作が制御される。
【００４３】
このシャッタ制御部２５（防犯処理手段、送信手段に相当）は、操作部、記憶部、送信部等を含んで構成されている。操作部は操作子（ボタンやスイッチなど）を有しており、シャッタカーテン２２の昇降やスラット２３の開閉に関するマニュアル操作を受け付ける。そして、シャッタ制御部２５はこの受け付けた操作内容に応じた制御を実行すべく、ドラム駆動部３２やスラット駆動部３７に指令信号を出力する。記憶部には、シャッタ装置１５の制御に用いられる各種情報（制御プログラムなど）が記憶されている。また、送信部を通じて、シャッタ制御部２５が取得した各種情報が外部に送信されるようになっている。
【００４４】
ここで、このスラット２３が開状態とされて形成される隙間２４は、不審者によって悪用されることが懸念される。この隙間２４を利用してスラット２３に手や足をかければ、建物１１の二階部分に登るための手掛かりや足場とすることが可能だからである。そこで、このスラット開閉式のシャッタカーテン２２を備えたシャッタ装置１５では、充分な防犯性能を確保すべく、スラット２３にかかる力（負荷）を検知して、その検知情報に基づいた制御を実行するスラット防犯制御システムを備えている。その制御システムを次に説明する。
【００４５】
まず、システム構成として、前記シャッタ制御部２５がこの防犯制御システムを司っている。このため、その記憶部にはこのスラット防犯制御用の各種情報（制御プログラムなど）が記憶されている。また、シャッタ制御部２５は、スラット２３にかかる力を検知した場合には、前記送信部を通じて前記ホームサーバ１６にその情報を送信するようになっている。ホームサーバ１６（指令手段に相当）は、この検知情報を取得すると、他のシャッタ装置１５のシャッタ制御部２５に指令信号を送信する。その指令信号とは、シャッタカーテン２２を下降動作させる指令、及びスラット２３を閉動作させる指令である。これにより、一のシャッタ装置１５においてスラット２３にかかる力が検知された場合には、他のシャッタ装置１５が設置された窓部１３も閉鎖される。
【００４６】
スラット２３にかかる力の検知は、圧力検知センサ４１（負荷検知手段、圧力検知手段に相当）によって行われる。図１に示されているように、この圧力検知センサ４１はスラット２３ごとにその両端部に設けられ、ガイドレール２６内に収容されている。すべての圧力検知センサ４１は、それぞれシャッタ制御部２５と接続されている。なお、図１では、簡略化するため、一部の圧力検知センサ４１との接続状態だけが図示されている。これにより、各スラット２３における圧力検知情報が対応する圧力検知センサ４１によって得られ、その圧力検知情報がシャッタ制御部２５に送信されるようになっている。
【００４７】
そして、図２（ｂ）に示されているように、対応するスラット２３の回転軸部３４が軸支される前記軸支部３５に、個々の圧力検知センサ４１が設けられている。これら圧力検知センサ４１は回転軸部３４の軸受けに設けられたセンサであり、詳しくは、軸支部３５において、回転軸部３４の下方から屋内側の側方にわたって設けられている。この場合、回転軸部３４の外面と当接する圧力受け面４２は、軸支部３５の軸挿入孔４３に挿入された回転軸部３４の挿入部分外面とその下方から屋内側の側方にわたって設けられ、側面視は図示のように半円状をなしている。このため、あるスラット２３に不審者が手や足をかけたことでそのスラット２３に下方向（図のＺ方向）や屋内側方向（図のＹ方向）に向けた力が作用すると、圧力受け面４２に作用する力の高まりが圧力検知センサ４１によって検知される。この圧力検知情報は、前述したようにシャッタ制御部２５に送信される。
【００４８】
次に、シャッタ制御部２５によって実行されるスラット防犯制御処理について、図４のフローチャートと、図５に示すシャッタ装置の動作説明図を参照しながら説明する。なお、図５（ａ）は不審者がスラット間の隙間に手や足をかけている様子を、同図（ｂ）は防犯制御処理によってスラットが閉状態とされた様子を示している。この制御処理は、窓部１３の全域が閉鎖されるまでシャッタカーテン２２が引き出され、かつスラット２３が開状態とされたことをトリガとし、スラット２３が閉状態とされるまでの間、所定の時間周期で繰り返し行われる。
【００４９】
図４において、ステップＳ１１では、所定枚数だけ離れたスラット２３にて圧力が検知されたか否かを判定する。なお、所定枚数とは、不審者が少なくとも二つの異なるスラット２３に手と足とをかけてよじ登る場合を想定して適宜に決められる。例えば、５枚程度である。いずれのスラット２３にも力がかかっていない、一のスラット２３にのみ力がかかっている、所定枚数以内の異なるスラット２３に力がかかっているなどの場合、判定を否定してそのまま本処理を終了する。これに対し、所定枚数だけ離れたスラット２３に力がかかっている場合には、それらの圧力検知センサ４１で圧力が検知されるため、判定を肯定して次のステップＳ１２に進む。
【００５０】
例えば、図５（ａ）に示されているように、開状態のスラット２３間に形成された隙間２４を利用してスラット２３に手や足場をかけ、不審者がシャッタ装置１５をよじ登ろうとすると、少なくとも二つのスラット２３に力がかかる。つまり、少なくとも一のスラット２３ａが手掛かりとなり、少なくとも一のスラット２３ｂが足場となるため、不審者の体重がこれらのスラット２３ａ，２３ｂにかかる。すると、これら両スラット２３ａ，２３ｂの圧力検知センサ４１ａ，４１ｂにて圧力が検知されるため、このような場合には判定を肯定して次のステップＳ１２に進むことになる。
【００５１】
そのステップＳ１２では、離れたスラット２３での圧力検知のタイミングを判定する。つまり、離れたスラット２３での圧力検知が、同時又は所定時間（例えば、数秒程度）内になされたか否かを判定する。一のスラット２３にて圧力が検知された後、所定時間を超えて別のスラット２３にて圧力が検知された場合、判定を否定して本処理を終了する。一方、一のスラット２３での圧力検知と別のスラット２３での圧力検知とが同時又は所定時間内になされた場合であれば、判定を肯定して次のステップＳ１３に進む。
【００５２】
例えば、図５（ａ）に示した先の例では、手掛かりとなったスラット２３ａと足場となったスラット２３ｂとで、同時又は所定時間内に圧力が検知されている。このため、判定を肯定して次のステップＳ１３に進むことになる。
【００５３】
そのステップＳ１３では、離れたスラット２３にてそれぞれ検知された圧力Ｐｎが、所定値Ｐｘを超えているか否かを判定する。この所定値Ｐｘは、通常使用の状況でスラットにかかる力、人の平均体重などの情報をもとに、異常な圧力であると判断される値に設定されている。離れたスラット２３にてそれぞれ検知された圧力Ｐｎがこの所定値Ｐｘを下回っている場合、判定を否定して本処理を終了する。一方、その検知圧力Ｐｎが所定値Ｐｘを上回っている場合、判定を肯定して後続のステップＳ１４，Ｓ１５における防犯処理を順次実行する。具体的には、ステップＳ１４では開状態にあるすべてのスラット２３をそれが閉状態となるまで閉じ動作させ、ステップＳ１５ではホームサーバ１６に圧力検知情報を送信する。その後、本処理を終了する。
【００５４】
例えば、図５（ａ）に示した先の例では、手掛かりや足場となったスラット２３ａ，２３ｂに不審者の体重がかかるため、スラット２３ａで検知された圧力Ｐ１及びスラット２３ｂで検知された圧力Ｐ２は、所定値Ｐｘを超える。このため、ステップＳ１４に進み、スラット２３を閉状態となるまで閉じ動作させる。これにより、図５（ｂ）に示されているように、スラット２３間の隙間２４がなくなり、不審者はスラット２３に手や足をかけることができず、よじ登りを断念せざるを得なくなる。
【００５５】
また、併せてステップＳ１５では、ホームサーバ１６に圧力検知情報を送信する。ホームサーバ１６はその情報を取得すると、他のシャッタ装置１５のシャッタ制御部２５に指令信号を送信して、シャッタカーテン２２の下降動作やスラット２３の閉動作を行わせる。これにより、不審者がよじ登ろうとした箇所の窓部１３だけでなく、シャッタ装置１５が設置された他の窓部１３も閉鎖される。
【００５６】
以上より、窓部１３にスラット防犯制御システムを備えたシャッタ装置１５が設置されていることにより、以下に示す有利な効果が得られる。
【００５７】
（１）不審者が建物１１の二階部分などに登るため、スラット間の隙間２４を利用してスラット２３に手や足をかけた場合、その手掛かりや足場となったスラット２３にかかる負荷が圧力検知センサ４１によって検知される。この負荷検知により、各スラット２３の閉動作がなされて隙間２４が形成されなくなるため、不審者はよじ登りを断念せざるを得なくなる。このため、スラット開閉式のシャッタカーテン２２を備えたこのシャッタ装置１５において、充分な防犯性能を確保できる。
【００５８】
（２）離れたスラット２３で同時又は所定時間内に圧力が検知されたことを条件として、各スラット２３を閉じる動作が行われる。建物１１の二階部分などへよじ登るため、不審者がスラット２３に手や足をかける場合、手掛かりとなるスラット２３ａと足場となるスラット２３ｂとは離れており、両スラット間に複数枚のスラット２３が介在している。このため、不審者によじ登りを断念させるという点で充分な防犯性能が発揮される。
【００５９】
（３）その上、離れたスラット２３でそれぞれ検知された圧力Ｐｎが所定値Ｐｘを超えたことも、各スラット２３の閉じ動作を行う条件としている。このため、スラット２３がよじ登りの手掛かりや足場とされていないような場面で、誤ってスラット２３の閉じ動作がなされることを防止できる。
【００６０】
（４）スラット２３にかかる負荷が検知された情報がホームサーバ１６に送信され、これを受けてホームサーバ１６は、他のシャッタ装置１５に対してその有するシャッタカーテン２２の閉じ動作及び各スラット２３の閉じ動作を指令する。これにより、他のシャッタ装置１５でも窓部１３が閉鎖されて防犯性が高められるため、建物１１全体での防犯性能を向上させることができる。
【００６１】
なお、以上説明した実施の形態に限らず、例えば以下に別例として示した形態で実施することもできる。
【００６２】
（ａ）上記実施の形態では、不審者がスラット２３に手と足とを略同時にかける場合を想定し、所定枚数だけ離れたスラット２３で圧力が検知された場合にスラット２３を閉じ動作させている。これに代えて、二つの異なる（隣接も含む）スラット２３で同時又は所定時間内に、又はいずれか一のスラット２３で、所定値Ｐｘを超える圧力が検知された場合にも、スラット２３を閉じ動作させるようにしてもよい。シャッタ装置１５の高さ、不審者によるよじ登りの態様などにより、スラット２３の閉じ動作が必要となる状況は様々である。このため、二つの異なるスラット２３や一のスラット２３に異常な力が検知された場合にもスラット２３の閉じ動作を実行することは、防犯性能の向上とその実効化につながる。
【００６３】
また、スラット２３が閉動作される条件として、（α）離れたスラット２３で圧力検知、（β）異なるスラット２３で圧力検知、（γ）一のスラット２３にて圧力検知のいずれか一つが選択されるのではなく、防犯ニーズに合わせて切替操作されるようにしてもよい。例えば、この中では（γ）の条件がもっとも防犯性が高いため、長期の不在時など高い防犯性が要求される場合に（γ）の条件も切り替えることが可能となる。この場合、シャッタ制御部２５の操作部にて建物１１の関係者（居住者や利用者など）が手動で切り替えを行うようにしてもよいし、在・不在など建物１１の状況に応じて自動的に切り替えが行われるようにしてもよい。これにより、建物関係者の防犯ニーズに応じた制御を行えるため、利便性が高まる。
【００６４】
（ｂ）上記実施の形態では、離れたスラット２３にて所定値Ｐｘを超える圧力が同時又は所定時間内に検知されると、隙間２４がなくなる閉状態となるまでスラット２３を閉じ動作させているが、所定の傾斜角度で閉じ動作を停止させるようにしてもよい。この場合、所定の傾斜角度とは、次に説明するような角度である。図６は、スラット２３の傾斜角度を説明するための概略図である。この図６に示されているように、上側スラット２３ｃの下端部と下側スラット２３ｄの上端部とが正面視において重なり合う（重なり部分Ｈが生じる）角度を、所定の傾斜角度とすることが好ましい。この傾斜角度であれば、上下のスラット２３ｃ，２３ｄによって指が挟まれるおそれは小さいため、建物関係者によって離れたスラット２３に所定値Ｐｘを超える力がかけられた場合でも、指が挟まれてしまうことそれ自体を防ぐことができる。
【００６５】
（ｃ）上記実施の形態では、軸支部３５において、圧力検知センサ４１が回転軸部３４の下方から屋内側の側方にわたって設けられているが、回転軸部３４の上方にも、また外周全体に設けられていてもよい。この場合、スラット２３に対して上方向や屋外側方向に向けた力がかかった場合でも、それを検知することが可能となる。スラット２３に手や足をかけてよじ登ろうとする場合、そのスラット２３には様々な方向に向けた力がかかることが考えられるため、かかる構成によれば、スラット２３にかかる力をくまなく検知できる。
【００６６】
この別例を採用する場合、上記別例（ａ）の構成も併せて採用することが好適である。それというのも、隙間２４にバール等の工具を挿入してスラット間をこじ開けようとする場合、隙間２４の上側のスラット２３には上方向に向けた力が、下側のスラット２３には下方向に向けた力がかかる。この上下隣接するスラット２３にかかる力が圧力検知センサ４１によって検知され、その場合にもスラット２３を閉動作させるという制御を実行できる。そうすれば、隙間２４が不審者に悪用された場合に対処可能となる場面が増え、より防犯性能が高められる。
【００６７】
また、スラット２３の清掃時など、建物１１の関係者によって離れたスラット２３に所定値Ｐｘを超える力がかけられた場合、上記実施形態の制御によれば、スラット２３の閉動作により誤って関係者の指が挟まれてしまうおそれもある。このように誤って指が挟まれると、上下に隣接するスラット２３にかかる力が圧力検知センサ４１によって検知されるため、この場合に各スラット２３を所定の傾斜角度まで開動作させるという制御を実行できる。ここでの所定の傾斜角度はスラット間に指が抜ける程度の隙間が形成される角度、具体的には上記別例（ｂ）にて説明した傾斜角度であることが好ましい。これにより、誤って挟まれてしまった指を抜くことができるため、スラット２３の閉じ動作に対する安全性を確保できる。
【００６８】
なお、よじ登るために不審者がスラット２３に手や足をかける場合、通常は下方向への力がスラット２３にかかる。そうであれば、圧力検知センサ４１は回転軸部３４の少なくとも下方に設けられ、下方向へ向けた力が検知されるようにすれば足りる。
【００６９】
（ｄ）上記実施の形態では、離れたスラット２３にて所定値Ｐｘを超える圧力が同時又は所定時間内に検知された場合にスラット２３の閉動作を行っているが、警戒モードに設定されていることを条件に加えてもよい。この場合、シャッタ制御部２５（設定手段に相当）には、その操作部に警戒モード及び非警戒モードの切替操作を受け付ける操作子が設けられ、その切替操作によっていずれかのモードに設定される。そして、警戒モードに設定されている場合でなければ、離れたスラット２３で圧力が検知されたとしてもスラット２３の閉じ動作がなされない。
【００７０】
その具体的な制御処理を、図７のフローチャートを参照しながら簡単に説明する。同図において、ステップＳ２１では、離れたスラット２３で圧力が検知されたか否かを判定する（前記ステップＳ１１と同じ処理）。その判定を肯定して進むステップＳ２２では、警戒モードに設定されているか否かを判定する。非警戒モードに設定されている場合には判定を否定して処理を終了する。このため、非警戒モードでは、離れたスラット２３で圧力が検知された場合でもスラット２３の動作制御はなされない。これに対し、警戒モードに設定されている場合には判定を肯定して次のステップＳ２３に進む。そのステップＳ２３ででは検知のタイミングや検知圧力Ｐｎが所定値Ｐｘを超えているか否かを判定する（前記ステップＳ１２，Ｓ１３と同じ処理）。この判定が肯定されれば、ステップＳ２４にて防犯処理、つまりスラット２３の閉じ動作やホームサーバ１６への情報送信を行う（前記ステップＳ１４，Ｓ１５と同じ処理）。
【００７１】
このように、警戒モードである場合に限ってスラット２３の自動閉じ動作がなされることで、スラット２３の清掃時など、スラット２３に対して力をかけることが予測される場合に、予め非警戒モードに設定しておけば誤動作を事前に防止できる。これにより、建物関係者の防犯ニーズに応じた制御が行われるため、利便性が高まる。
【００７２】
（ｅ）上記実施の形態では、すべてのスラット２３が開閉動作されるシャッタ装置１５を例として説明したが、各スラット２３のうち上部の複数枚（具体的には３枚）が開閉動作されるようにしてもよい。この場合、上部のスラット２３のみが開状態とされるため、スラット２３がよじ登りのための足場とされるおそれは少なくなる。
【００７３】
もっとも、このシャッタ装置の概略図である図８に示されているように、シャッタ装置１５や窓サッシ１４等の底辺部５１を足場とすれば、スラット２３に手をかけてよじ登ることが可能になる。このため、底辺部５１に圧力検知センサ５２が設けられるとともに、その圧力検知センサ５２がシャッタ制御部２５に接続された構成を採用するとよい。そして、底辺部５１に足をかけた場合にその底辺部５１にかかる力が圧力検知センサ５２によって検知されると、シャッタ制御部２５が上部のスラット２３を閉じ動作させる。これにより、開状態となっていた上部のスラット２３に手をかけづらくなるため、不審者に対してよじ登りを断念させることができる。
【００７４】
（ｆ）上記実施の形態では、スラット２３にかかる力（負荷）の検知が各スラット２３に設けられた圧力検知センサ４１によって行われているが、ドラム駆動部３２にかかる負荷を検知することでそれが行われるようにしてもよい。つまり、不審者がスラット２３に手や足をかけてよじ登ろうとすれば、電動モータを含んで構成されたドラム駆動部３２にシャッタカーテン２２の引き出し方向へ過負荷がかかる。これを検知した場合にスラット２３を閉動作させるようにすれば、よじ登りを断念させることができる。
【００７５】
この場合、シャッタ装置の正面図である図９に示されているように、ドラム駆動部３２には過負荷を検知する過負荷検知部６１（負荷検知手段に相当）が設けられている。この過負荷検知部６１はシャッタ制御部２５に接続され、ドラム駆動部３２での過負荷が検知されるとシャッタ制御部２５に検知情報が送信される。そして、過負荷が検知されると、シャッタ制御部２５はスラット２３を閉じ動作させる。これにより、開状態となっていたスラット２３に手や足をかけづらくなるため、不審者に対してよじ登りを断念させることができる。
【００７６】
（ｇ）上記実施の形態では、スラット２３にかかる負荷が検知された場合に、スラット閉動作やホームサーバ１６への情報送信が防犯処理として行われているが、ホームサーバ１６への情報送信を省略してもよい。また、スラット２３への負荷が検知されたシャッタ装置１５自身の防犯処理としても、音や光を利用した不審者への警告報知、建物関係者や警備会社への報知、カメラによる撮影などを行ってもよい。これらはスラット２３の閉じ動作に代えて行ってもよいし、それと併せて行うようにしてもよい。
【００７７】
（ｈ）上記実施の形態では、ブラインドシャッタ装置１５が建物１１の各窓部１３に設置されているが、建物としてはそのシャッタ装置１５が設置された窓部１３を少なくとも一つ備えていればよい。また、シャッタ装置（スラット非開閉式も含む）が設けられた複数の窓部１３を有する建物であっても、その少なくとも一つのシャッタ装置が前記ブラインドシャッタ装置１５であればよい。
【符号の説明】
【００７８】
１１…建物、１２…外壁部、１３…窓部（開口部）、１５…ブラインドシャッタ装置、１６…ホームサーバ（指令手段）、２２…シャッタカーテン、２３…スラット、２５…シャッタ制御部（防犯処理手段、設定手段、送信手段）、４１…圧力検知センサ（負荷検知手段、圧力検知手段）。
【図１】
2010209614.tif 000003
【図２】
2010209614.tif 000004
【図３】
2010209614.tif 000005
【図４】
2010209614.tif 000006
【図５】
2010209614.tif 000007
【図６】
2010209614.tif 000008
【図７】
2010209614.tif 000009
【図８】
2010209614.tif 000010
【図９】
2010209614.tif 000011